(57)【特許請求の範囲】
【請求項１】
同時接続可能なＰＤＮの本数が異なる２つの通信網に対して接続する移動機において、
接続対象となるデフォルトＰＤＮを記憶する記憶手段と、
前記２つの通信網のうち一方の通信網に接続する際に、前記記憶手段に記憶されているデフォルトＰＤＮに接続するデフォルトＰＤＮ接続手段と、
同時接続可能なＰＤＮの本数が、他の通信網より多く設定されている一の通信網に対して、前記デフォルトＰＤＮ接続手段において接続されているときに、前記デフォルトＰＤＮではない他のＰＤＮに対する新たな接続要求があると、当該他のＰＤＮに接続する他ＰＤＮ接続手段と、
前記一の通信網から前記他の通信網にハンドオーバするハンドオーバ手段と、
前記ハンドオーバ手段によりハンドオーバがなされると、前記デフォルトＰＤＮ接続手段により接続された前記デフォルトＰＤＮに対する接続状態を切断する切断手段と、
前記他ＰＤＮ接続手段による接続がなされている間、前記デフォルトＰＤＮに対する通信を拒否する拒否手段と、を備え、
前記他の通信網において、前記他ＰＤＮ接続手段は、前記他のＰＤＮに対して接続状態を維持する移動機。
【請求項２】
同時接続可能なＰＤＮの本数が異なる２つの通信網に対して接続する移動機において、
接続対象となるデフォルトＰＤＮを記憶する記憶手段と、
前記２つの通信網のうち一方の通信網に接続する際に、前記記憶手段に記憶されているデフォルトＰＤＮに接続するデフォルトＰＤＮ接続手段と、
同時接続可能なＰＤＮの本数が、他の通信網より多く設定されている一の通信網に対して、前記デフォルトＰＤＮ接続手段において接続されているときに、前記デフォルトＰＤＮではない他のＰＤＮに対する新たな接続要求があると、当該他のＰＤＮに接続する他ＰＤＮ接続手段と、
前記一の通信網から前記他の通信網にハンドオーバするハンドオーバ手段と、
前記ハンドオーバ手段によりハンドオーバがなされると、前記デフォルトＰＤＮ接続手段により接続された前記デフォルトＰＤＮに対する接続状態を切断し、前記他ＰＤＮ接続手段による接続がなされると、前記デフォルトＰＤＮに対する接続を切断する切断手段とを備え、
前記他の通信網において、前記他ＰＤＮ接続手段は、前記他のＰＤＮに対して接続状態を維持し、
前記デフォルトＰＤＮ接続手段は、前記他ＰＤＮ接続手段による接続状態が切断されると、再度デフォルトＰＤＮに対して接続処理を行う移動機。
【請求項３】
前記一の通信網はＬＴＥ（Long Term Evolution）通信網であり、前記他の通信網は３Ｇ（3rd Generation）通信網であることを特徴とする請求項１または２に記載の移動機。
【請求項４】
前記デフォルトＰＤＮとして、通信事業者のゲートウエイシステム内に配置されているサーバを利用したネットワーク接続サービスを提供可能なネットワークが設定され、
前記他のＰＤＮは、前記通信事業者のゲートウエイシステム外に配置されているサーバを利用したネットワークサービスを提供可能なネットワークであることを特徴とする請求項１から３のいずれか一項に記載の移動機。
【請求項５】
同時接続可能なＰＤＮの本数が異なる２つの通信網に対して接続する移動機の通信方法において、
接続対象となるデフォルトＰＤＮを記憶手段に記憶する記憶ステップと、
同時接続可能なＰＤＮの本数が、他の通信網より多く設定されている一の通信網に接続する際に、前記記憶手段に記憶されているデフォルトＰＤＮに接続するデフォルトＰＤＮ接続ステップと、
前記デフォルトＰＤＮ接続ステップによるデフォルトＰＤＮに対する接続が維持されているときに、前記デフォルトＰＤＮではない他のＰＤＮに対する新たな接続要求があると、当該他のＰＤＮに接続する他ＰＤＮ接続ステップと、
前記一の通信網から前記他の通信網にハンドオーバするハンドオーバステップと、
前記ハンドオーバステップによりハンドオーバがなされると、前記デフォルトＰＤＮ接続ステップより接続された前記デフォルトＰＤＮに対する接続状態を切断する切断ステップと、
前記他ＰＤＮ接続ステップによる接続がなされている間、前記デフォルトＰＤＮに対する通信を拒否する拒否ステップと、を備え、
前記他の通信網において、前記他ＰＤＮ接続ステップは、前記他のＰＤＮに対して接続状態を維持する通信方法。
【請求項６】
同時接続可能なＰＤＮの本数が異なる２つの通信網に対して接続する移動機の通信方法において、
接続対象となるデフォルトＰＤＮを記憶手段に記憶する記憶ステップと、
同時接続可能なＰＤＮの本数が、他の通信網より多く設定されている一の通信網に接続する際に、前記記憶手段に記憶されているデフォルトＰＤＮに接続するデフォルトＰＤＮ接続ステップと、
前記デフォルトＰＤＮ接続ステップによるデフォルトＰＤＮに対する接続が維持されているときに、前記デフォルトＰＤＮではない他のＰＤＮに対する新たな接続要求があると、当該他のＰＤＮに接続する他ＰＤＮ接続ステップと、
前記一の通信網から前記他の通信網にハンドオーバするハンドオーバステップと、
前記ハンドオーバステップによりハンドオーバがなされると、前記デフォルトＰＤＮ接続ステップより接続された前記デフォルトＰＤＮに対する接続状態を切断し、前記他ＰＤＮ接続ステップによる接続がなされると、前記デフォルトＰＤＮに対する接続を切断する切断ステップと、を備え、
前記他の通信網において、前記他ＰＤＮ接続ステップは、前記他のＰＤＮに対して接続状態を維持し、
前記デフォルトＰＤＮ接続ステップは、前記他ＰＤＮ接続ステップによる接続状態が切断されると、再度デフォルトＰＤＮに対して接続処理を行う通信方法。
【発明の詳細な説明】
【技術分野】
【０００１】
本発明は、ＰＤＮなどのコアネットワーク外の各種サービスを提供するパケットネットワークに通信接続する移動機およびこれを用いた通信方法に関する。
【背景技術】
【０００２】
近年、新しい高速通信を行うためのＬＴＥ（Long Term Evolution）といった通信方式が提案されており、このＬＴＥシステムを利用した通信網（以下、ＬＴＥ網と称する）を利用して外部ネットワークであるＰＤＮに接続することが、一般的に知られている（特許文献１参照）。
【先行技術文献】
【特許文献】
【０００３】
【特許文献１】国際公開ＷＯ２００８／１１４８２３
【発明の概要】
【発明が解決しようとする課題】
【０００４】
このＬＴＥ網に対して無線端末が接続しようとする場合、無線端末は、アタッチ処理（位置登録処理）を行うとともに、自動的にＰＤＮに対して通信接続を行う。このアタッチ処理とＰＤＮの接続処理を同時にすることは、標準規格上定められたものである。よって、ＬＴＥ網においては、無線端末はＰＤＮ接続を切断すると、自動的にデタッチ状態となり、他装置と通信接続することができず、いわゆる呼損といった状態になる。
【０００５】
そのため、ＬＴＥ網の環境下においては、呼損を防ぐために、いわゆる常時接続機能により、常時ＰＤＮ接続している状態となる。一方で、３Ｇ網を利用した無線通信システム（以下、３Ｇ網と称する）においては、ＰＤＮ接続とアタッチとの関係は分離可のものであることから、ＰＤＮ接続を切断したとしても、デタッチすることがなく、よって、呼損が発生することは無い。しかしながら、３Ｇ網においては、ＰＤＮ接続のための通信経路は一つしか設定することができない。
【０００６】
これに対して、ＬＴＥ網の環境下においては、無線端末はＰＤＮ接続のための通信経理を２本設定することができる。従って、無線端末がＬＴＥ網においてＰＤＮ接続の通信経路を２つ設定している状態において、ハンドオーバなどによりＬＴＥ網から３Ｇ網の環境下に移動した場合には、無線端末は２つのＰＤＮ接続を維持することができないという問題がある。
【０００７】
そこで、本発明においては、ＬＴＥ網から３Ｇ網の環境下にハンドオーバしたなど、ＰＤＮの接続数に制限のある環境下に移動した場合においても、適切に通信可能状態にすることができる移動機および通信方法を提供することを目的とする。
【課題を解決するための手段】
【０００８】
上述の課題を解決するために、本発明の移動機は、同時接続可能なＰＤＮの本数が異なる２つの通信網に対して接続する移動機において、接続対象となるデフォルトＰＤＮを記憶する記憶手段と、前記２つの通信網のうち一方の通信網に接続する際に、前記記憶手段に記憶されているデフォルトＰＤＮに接続するデフォルトＰＤＮ接続手段と、同時接続可能なＰＤＮの本数が、他の通信網より多く設定されている一の通信網に対して、前記デフォルトＰＤＮ接続手段において接続されているときに、前記デフォルトＰＤＮではない他のＰＤＮに対する新たな接続要求があると、当該他のＰＤＮに接続する他ＰＤＮ接続手段と、前記一の通信網から前記他の通信網にハンドオーバするハンドオーバ手段と、前記ハンドオーバ手段によりハンドオーバがなされると、前記デフォルトＰＤＮ接続手段により接続された前記デフォルトＰＤＮに対する接続状態を切断する切断手段と、前記他ＰＤＮ接続手段による接続がなされている間、前記デフォルトＰＤＮに対する通信を拒否する拒否手段と、を備え、前記他の通信網において、前記他ＰＤＮ接続手段は、前記他のＰＤＮに対して接続状態を維持するよう構成されている。
【０００９】
また、本発明の通信方法は、同時接続可能なＰＤＮの本数が異なる２つの通信網に対して接続する移動機の通信方法において、接続対象となるデフォルトＰＤＮを記憶手段に記憶する記憶ステップと、同時接続可能なＰＤＮの本数が、他の通信網より多く設定されている一の通信網に接続する際に、前記記憶手段に記憶されているデフォルトＰＤＮに接続するデフォルトＰＤＮ接続ステップと、前記デフォルトＰＤＮ接続ステップによるデフォルトＰＤＮに対する接続が維持されているときに、前記デフォルトＰＤＮではない他のＰＤＮに対する新たな接続要求があると、当該他のＰＤＮに接続する他ＰＤＮ接続ステップと、前記一の通信網から前記他の通信網にハンドオーバするハンドオーバステップと、前記ハンドオーバステップによりハンドオーバがなされると、前記デフォルトＰＤＮ接続ステップより接続された前記デフォルトＰＤＮに対する接続状態を切断する切断ステップと、前記他ＰＤＮ接続ステップによる接続がなされている間、前記デフォルトＰＤＮに対する通信を拒否する拒否ステップと、を備え、前記他の通信網において、前記他ＰＤＮ接続ステップは、前記他のＰＤＮに対して接続状態を維持するよう構成されている。
【００１０】
この発明によれば、同時接続可能なＰＤＮの本数が、他の通信網より多く設定されている一の通信網に接続する際に、初期値であるデフォルトＰＤＮに接続し、デフォルトＰＤＮに対する接続が維持されているときに、他のＰＤＮに対する新たな接続要求があると、当該他のＰＤＮに接続する。そして、一の通信網から他の通信網にハンドオーバすると、すでに接続されたデフォルトＰＤＮに対する接続状態を切断し、他のＰＤＮに対して接続状態を維持する。これにより、ＰＤＮの接続数が制限されている通信網にいた場合においても、他のＰＤＮに対する通信を継続して行うことができる。さらに、他のＰＤＮに対して接続がなされている間、デフォルトＰＤＮに対する通信を拒否することで、ネットワークにおける負荷を軽減することができる。
【００１３】
また、本発明の移動機は、同時接続可能なＰＤＮの本数が異なる２つの通信網に対して接続する移動機において、接続対象となるデフォルトＰＤＮを記憶する記憶手段と、前記２つの通信網のうち一方の通信網に接続する際に、前記記憶手段に記憶されているデフォルトＰＤＮに接続するデフォルトＰＤＮ接続手段と、同時接続可能なＰＤＮの本数が、他の通信網より多く設定されている一の通信網に対して、前記デフォルトＰＤＮ接続手段において接続されているときに、前記デフォルトＰＤＮではない他のＰＤＮに対する新たな接続要求があると、当該他のＰＤＮに接続する他ＰＤＮ接続手段と、前記一の通信網から前記他の通信網にハンドオーバするハンドオーバ手段と、前記ハンドオーバ手段によりハンドオーバがなされると、前記デフォルトＰＤＮ接続手段により接続された前記デフォルトＰＤＮに対する接続状態を切断し、前記他ＰＤＮ接続手段による接続がなされると、前記デフォルトＰＤＮに対する接続を切断する切断手段とを備え、前記他の通信網において、前記他ＰＤＮ接続手段は、前記他のＰＤＮに対して接続状態を維持し、前記デフォルトＰＤＮ接続手段は、前記他ＰＤＮ接続手段による接続状態が切断されると、再度デフォルトＰＤＮに対して接続処理を行う。
また、本発明の通信方法は、同時接続可能なＰＤＮの本数が異なる２つの通信網に対して接続する移動機の通信方法において、接続対象となるデフォルトＰＤＮを記憶手段に記憶する記憶ステップと、同時接続可能なＰＤＮの本数が、他の通信網より多く設定されている一の通信網に接続する際に、前記記憶手段に記憶されているデフォルトＰＤＮに接続するデフォルトＰＤＮ接続ステップと、前記デフォルトＰＤＮ接続ステップによるデフォルトＰＤＮに対する接続が維持されているときに、前記デフォルトＰＤＮではない他のＰＤＮに対する新たな接続要求があると、当該他のＰＤＮに接続する他ＰＤＮ接続ステップと、前記一の通信網から前記他の通信網にハンドオーバするハンドオーバステップと、前記ハンドオーバステップによりハンドオーバがなされると、前記デフォルトＰＤＮ接続ステップより接続された前記デフォルトＰＤＮに対する接続状態を切断し、前記他ＰＤＮ接続ステップによる接続がなされると、前記デフォルトＰＤＮに対する接続を切断する切断ステップと、を備え、前記他の通信網において、前記他ＰＤＮ接続ステップは、前記他のＰＤＮに対して接続状態を維持し、前記デフォルトＰＤＮ接続ステップは、前記他ＰＤＮ接続ステップによる接続状態が切断されると、再度デフォルトＰＤＮに対して接続処理を行う。
【００１４】
この発明によれば、同時接続可能なＰＤＮの本数が、他の通信網より多く設定されている一の通信網に接続する際に、初期値であるデフォルトＰＤＮに接続し、デフォルトＰＤＮに対する接続が維持されているときに、他のＰＤＮに対する新たな接続要求があると、当該他のＰＤＮに接続する。そして、一の通信網から他の通信網にハンドオーバすると、すでに接続されたデフォルトＰＤＮに対する接続状態を切断し、他のＰＤＮに対して接続状態を維持する。これにより、ＰＤＮの接続数が制限されている通信網にいた場合においても、他のＰＤＮに対する通信を継続して行うことができる。さらに、他のＰＤＮに接続がなされると、デフォルトＰＤＮに対する接続を切断し、他のＰＤＮに対する接続状態が切断されると、再度デフォルトＰＤＮに対して接続処理を行うことにより、複数のＰＤＮのうちいずれか一方を必要に応じて切断し、また接続することができ、ネットワークにおける負荷を軽減することができる。
【００１５】
また、本発明の移動機において、前記一の通信網はＬＴＥ（Long Term Evolution）通信網であり、前記他の通信網は３Ｇ（3rd Generation）通信網であることが好ましい。
【００１６】
この発明によれば、ＬＴＥ通信網、３Ｇ通信網を利用したものである。ＬＴＥ通信網においては、一般的にＰＤＮを複数本張ることができる。一方、３Ｇ通信網においては、ＰＤＮは１本しか張ることができない。このような通信網に適用することにより、ＬＴＥ通信網から３Ｇ通信網にハンドオーバしたときには、デフォルトで決定したＰＤＮの接続状態を切断することで、ＬＴＥ通信網で通信接続したＰＤＮを継続して接続状態とすることができ、確実な通信を実現できる。
【００１７】
また、本発明の移動機は、前記デフォルトＰＤＮとして、通信事業者のゲートウエイシステム内に配置されているサーバを利用したネットワーク接続サービスを提供可能なネットワークが設定され、前記他のＰＤＮは、前記通信事業者のゲートウエイシステム外に配置されているサーバを利用したネットワークサービスを提供可能なネットワークであることが好ましい。
【００１８】
この発明によれば、通信事業者のゲートウエイシステムの内外それぞれに配置されているサーバを利用したＰＤＮに適用し、さらに通信事業者のゲートウエイシステム内に配置されているサーバによるネットワーク接続サービスを提供可能なネットワークをデフォルトＰＤＮとすることで、たとえばＬＴＥ通信網のようにアタッチとＰＤＮ接続とがセットになっていることが定められている通信網については、その通信事業者における連携処理を有効に行うことができる。すなわち、通信事業者においては、各種契約者の情報等を保持していることから、ＬＴＥ通信網のように常にＰＤＮ接続しているものに対して、通信事業者のゲートウエイシステム内にあるサーバを利用したＰＤＮに接続することを優先したほうが、その情報を容易かつ迅速に利用することを可能にする。よって、通信サービスを提供する上において、よりユーザに適した通信サービスを提供することが期待できる。
【発明の効果】
【００１９】
本発明によれば、ＰＤＮの接続数が制限されている通信網にいた場合においても、ＰＤＮに対する通信を継続して行うことができる。
【図面の簡単な説明】
【００２０】
【図１】本実施形態の移動機１００を用いた通信システム１０のシステム構成図である。
【図２】移動機１００の機能を示すブロック図である。
【図３】移動機１００のハードウェア構成図である。
【図４】最初に接続したＰＤＮに対する接続状態を切断するところまでのシーケンス図である。
【図５】その後にＰＤＮ接続状態とするところからハンドオーバによりＰＤＮの切断処理を行うときのシーケンス図である。
【図６】ＬＴＥ網に在圏しているときに、パケット通信モードＰＤＮに接続すると、携帯端末用ＮＷモードＰＤＮに対する接続状態を切断するときのシーケンス図である。
【発明を実施するための形態】
【００２１】
添付図面を参照しながら本発明の実施形態を説明する。可能な場合には、同一の部分には同一の符号を付して、重複する説明を省略する。
【００２２】
図１は、本実施形態の移動機１００を用いた通信システム１０のシステム構成図である。図１に示されるとおり、この通信システム１０は、３Ｇ通信システム２０１、ＬＴＥ通信システム２０２、交換機２０３、ＰＤＮ（Packet Data Network）２０４ａ、およびＰＤＮ２０４ｂを含んだものである。この通信システム１０においては、移動機１００が３Ｇ通信システム２０１またはＬＴＥ通信システム２０２のそれぞれのネットワーク環境下に移動することができる。そして、移動機１００は、それぞれの通信システムのネットワーク環境下において交換機２０３を介して、ＰＤＮ２０４ａまたはＰＤＮ２０４ｂに接続することができる。３Ｇ通信システム２０１およびＬＴＥ通信システム２０２は、コアネットワークを形成するものであり、また、ＰＤＮ２０４ａおよびＰＤＮ２０４ｂは、コアネットワーク以外のネットワークであって、各種サービスを提供するパケットデータネットワークである。例えば、ＰＤＮ２０４ａは、通信事業者のゲートウエイシステム内に配置されているサーバを利用してインターネット接続サービスを提供するためのネットワーク（以下、携帯端末用ＮＷモード用ＰＤＮと称する）である。たとえば、ｉモード通信サービスのためのＰＤＮである。なお、ｉモードは登録商標である。また、ＰＤＮ２０４ｂは、ｉモード通信サービス以外の、例えば一般的な、通信事業者のゲートウエイシステム外に配置されているＩＳＰ（Internet Service Provider）を介してインターネット接続サービスを提供するネットワーク（以下、パケット通信モード用ＰＤＮ）である。
【００２３】
このような通信システム１０に通信接続する移動機１００について説明する。図２は、移動機１００の機能を示すブロック図である。この移動機１００は、デフォルトＰＤＮ記憶部１０１（記憶手段）、通信処理部１０２、アタッチ部１０８、通信制御部１０９、ハンドオーバ制御部１１２（ハンドオーバ手段）、および操作部１１３を含んで構成されている。さらに、通信処理部１０２は、携帯端末用ＮＷ通信処理部１０３、およびパケット通信処理部１０７を含んだものである。さらに、携帯端末用ＮＷ通信処理部１０３は、その機能として、ＰＤＮ接続部１０４（デフォルトＰＤＮ接続手段、他ＰＤＮ接続手段）、ＰＤＮ切断部１０５（切断手段）、および拒否部１０６（拒否手段）を有している。また、通信制御部１０９は、ＬＴＥ通信部１１０、および３Ｇ通信部１１１を含んだものである。
【００２４】
図３は、移動機１００のハードウェア構成図である。図２に示される移動機１００は、物理的には、図３に示すように、ＣＰＵ１１、主記憶装置であるＲＡＭ１２及びＲＯＭ１３、入力デバイスであるキーボード及びマウス等の入力装置１４、ディスプレイ等の出力装置１５、ネットワークカード等のデータ送受信デバイスである通信モジュール１６、ハードディスク等の補助記憶装置１７などを含むコンピュータシステムとして構成されている。図２において説明した各機能は、図３に示すＣＰＵ１１、ＲＡＭ１２等のハードウェア上に所定のコンピュータソフトウェアを読み込ませることにより、ＣＰＵ１１の制御のもとで入力装置１４、出力装置１５、通信モジュール１６を動作させるとともに、ＲＡＭ１２や補助記憶装置１７におけるデータの読み出し及び書き込みを行うことで実現される。以下、図２に示す機能ブロックに基づいて、各機能ブロックを説明する。
【００２５】
デフォルトＰＤＮ記憶部１０１は、初期値として設定されている、通信接続する宛先となるＰＤＮを記憶する部分である。本実施形態においては、ＰＤＮ２０４ａがデフォルトＰＤＮとして設定されており、例えば携帯端末用ＮＷ通信用ＰＤＮである。
【００２６】
この携帯端末用意ＮＷ通信用ＰＤＮをデフォルトＰＤＮとして設定する理由として以下のことがあげられる。すなわち、上述したとおり、ＬＴＥ網においては、位置登録処理とＰＤＮ接続とを同時に行うことを要求している。したがって、ＰＤＮ接続できない場合には、位置登録処理を行うことができず、呼損が発生することになる。
【００２７】
ＩＳＰなどを利用してＰＤＮ接続を行う場合、そのＩＳＰを構築するサーバの動作が不安定な場合がありえる。そして、ＰＤＮ接続しようとした場合に、サーバがダウンしていると、ＰＤＮ接続することができず、その結果位置登録処理ができないという状態となる。
【００２８】
そのため、ＬＴＥ網においては、確実にＰＤＮ接続を行う環境におくことが必要とされる。本実施形態においては、確実にＰＤＮ接続を行うために、通信事業者が構築しているシステム内に配置されているサーバに対して、優先的にＰＤＮ接続をさせるようにしている。より具体的には、通信事業者は、公衆通信回線と他のネットワークとを接続するためのゲートウエイシステムを構築しており、このゲートウエイシステム内にインターネットなどの接続などのＰＤＮ接続を行うサーバが配置されている。このように通信事業者のゲートウエイシステム内に配置されているサーバは、当然に通信事業者において常時保守管理されており、安定して動作することができるものである。
【００２９】
このような通信事業者のゲートウエイシステム内に配置されているサーバをデフォルトＰＤＮとしておくことにより、ＬＴＥ網においては呼損となる状態を、高確率に防止することができる。
【００３０】
通信処理部１０２は、携帯端末用ＮＷ通信処理部１０３およびパケット通信処理部１０７を含んだものである。携帯端末用ＮＷ通信処理部１０３は、外部ネットワークに接続するための通信処理を実行する部分であり、通信事業者が提供する通信接続サービスであって、携帯端末用パケット通信を実行する部分である。
【００３１】
また、パケット通信処理部１０７は、外部ネットワークに接続するための通信処理を実行する部分であり、通信事業者が提供する通信接続サービスであって、インターネットに接続するためのパケット通信を実行する部分である。
【００３２】
携帯端末用ＮＷ通信処理部１０３は、より通信事業者のサービスに特化したパケット通信を可能にするものであり、例えば、通信事業者の回線内に配置されているサーバを利用してインターネット接続するものであり、この点でパケット通信処理部１０７と機能的に区別されるものである。パケット通信処理部１０７は、通信事業者の回線外に配置されているサーバ（ＩＳＰ）を利用してインターネット接続するものである。
【００３３】
さらに携帯端末用ＮＷ通信処理部１０３について説明する。携帯端末用ＮＷ通信処理部１０３は、ＰＤＮ接続部１０４、ＰＤＮ切断部１０５および拒否部１０６を含んで構成されているものである。
【００３４】
ＰＤＮ接続部１０４は、コアネットワーク以外の各種サービスを提供する外部ネットワークであるＰＤＮに接続する部分である。
【００３５】
移動機１００がＬＴＥ網に在圏している場合において、アタッチ部１０８がアタッチ処理をした場合に、ＰＤＮ接続部１０４は、携帯端末用ＮＷモード用ＰＤＮに対して通信経路を確立して、常時接続状態を維持するものである。
【００３６】
また、ＰＤＮ接続部１０４は、移動機１００が３Ｇ網に在圏していた場合に、パケット通信が終了して、パケット通信用ＰＤＮとの通信接続状態が切断されると、携帯端末用ＮＷモード用ＰＤＮに対して通信経路を確立して、通信接続するものである。
【００３７】
ＰＤＮ切断部１０５は、ＰＤＮ接続部１０４により常時接続状態としたＰＤＮに対する切断処理を行う部分である。このＰＤＮ切断部１０５は、ハンドオーバ制御部１１２によりハンドオーバ処理が行われ、ＬＴＥ網から３Ｇ網に移動した場合で、かつ携帯端末用ＮＷモード用ＰＤＮ、およびパケット通信用ＰＤＮに接続されている場合には、携帯端末用ＮＷモード用ＰＤＮに対する接続状態を解除して、その接続を切断するものであって、デフォルトＰＤＮ記憶部１０１に記憶されているＰＤＮを切断するものである。
【００３８】
また、ＰＤＮ切断部１０５は、携帯端末用ＮＷモード用ＰＤＮに接続している状態において、ユーザ操作によりパケット通信を開始しようとしてパケット通信用ＰＤＮに接続する場合には、携帯端末用ＮＷモード用ＰＤＮに対する通信接続状態を切断するものである。
【００３９】
拒否部１０６は、移動機１００がＬＴＥ網に在圏している場合において、携帯端末用ＮＷモード用ＰＤＮおよびパケット通信用ＰＤＮの両方に接続している状態では、携帯端末用ＮＷモード用ＰＤＮに対する通信が発生しても、その通信を拒否する部分である。
【００４０】
パケット通信処理部１０７は、いわゆるインターネットに対してパケット通信するための通信処理部であり、インターネットのパケット通信するためのネットワークであるＰＤＮに対してＰＤＮ接続して、通信を実行する部分である。パケット通信処理部１０７は、ユーザ操作によりパケット通信を行う旨の指示を受けた場合に、自動的にパケット通信用ＰＤＮとの間で通信接続を行い、パケット通信を終了する場合には、自動的にパケット通信用ＰＤＮとの間の通信接続状態を切断する。
【００４１】
アタッチ部１０８は、通信システム１０（ネットワーク）に対して、在圏しているその位置の登録を行う部分である。
【００４２】
通信制御部１０９は、ＬＴＥ通信部１１０および３Ｇ通信部１１１を含んで構成されている。
【００４３】
ＬＴＥ通信部１１０は、いわゆるＬＴＥ網に対して通信接続する部分であり、ＬＴＥ通信システム２０２に対して通信接続する部分である。
【００４４】
３Ｇ通信部１１１は、いわゆる３Ｇ網に対して通信接続する部分であり、３Ｇ通信システム２０１に対して通信接続する部分である。
【００４５】
ハンドオーバ制御部１１２は、３Ｇ網およびＬＴＥ網における基地局間の切り替えを行う部分であり、いわゆるハンドオーバ処理を行う部分である。
【００４６】
操作部１１３は、ユーザ操作を受け付ける部分であり、例えばキーボード等である。本実施形態においては、この操作部１１３を介して、ユーザは、携帯端末用ＮＷを利用した通信を行ったり、パケット通信を行ったりするか、その指示を行うことができる。
【００４７】
このように構成された移動機１００および通信システム１０の動作について説明する。図４および図５は、移動機１００が３Ｇ通信システム２０１およびＬＴＥ通信システム２０２の間をハンドオーバするときのＰＤＮの切り替えについての処理を示すシーケンス図である。図４は、最初のＰＤＮ接続状態を切断するところまでのシーケンス図であり、図５は、その後にＰＤＮ接続状態とするところからのシーケンス図である。
【００４８】
ＬＴＥ通信システムの接続環境下（符号Ｘ）の移動機１００において、電源が投入されると、アタッチ部１０８により位置登録処理が行われるとともに、ＰＤＮ接続部１０４において携帯端末用ＮＷモード用ＰＤＮに対する接続要求が行われる。そして、ＰＤＮ接続部１０４において、携帯端末用ＮＷモード用ＰＤＮに対する接続が完了した旨、通信システムから応答を受ける（Ｓ１０１）。この応答を受けた時点から、携帯端末用ＮＷモード用ＰＤＮに対する常時接続状態となる（符号Ａ）。
【００４９】
ＰＤＮ接続部１０４による携帯端末用ＮＷモード用ＰＤＮの接続が完了すると、携帯端末用ＮＷ通信処理部１０３においてユーザ操作に応じて携帯端末用ＮＷ通信（たとえば、ｉモード通信もしくは、ｉモードを利用したメール送受信）が行われ、その通信が終了する（Ｓ１０２）。この動作は、ユーザによる任意の動作であるため、このような動作が発生しない場合もある。
【００５０】
そして、パケット通信処理部１０７において、ユーザ操作により一般のインターネットに対するパケット通信の接続要求が行われる（Ｓ１０３）。この接続要求に応じて、インターネットに対するパケット通信の接続要求が通信システムに対して行われ、通信システムからその応答を受けることにより、インターネットのパケット通信の通信確立がなされる（Ｓ１０４）。この間、パケット通信用ＰＤＮが接続状態となる（符号Ｂ）。
【００５１】
なお、パケット通信用ＰＤＮが接続状態となっているときには、携帯端末用ＮＷモード用ＰＤＮが接続状態であったとしても、そのＰＤＮに対する通信は、拒否部１０６により拒否するようにしてもよい。これにより、ＬＴＥ網におけるトラフィック負荷を軽減することができる。
【００５２】
その後、パケット通信処理部１０７による所定の通信が行われ、ユーザ操作により、インターネットのパケット通信の通信切断の要求を受けると（Ｓ１０５）、インターネットのパケット通信の終了処理が行われる（Ｓ１０６）。そして、移動機１００はＬＴＥ網から３Ｇ網に移動すると、ハンドオーバ制御部１１２により、３Ｇ遷移指令が送信され、そしてその指令に対する応答を受けることにより、ハンドオーバ処理が行われる（Ｓ１０７）。
【００５３】
このハンドオーバ処理により、移動機１００は３Ｇ網に移動し（符号Ｙ）、パケット通信処理部１０７において、ユーザ操作によりインターネットのパケット通信の要求が行われると（Ｓ１０８）、携帯端末用ＮＷモード用ＰＤＮに対する切断処理がＰＤＮ切断部１０５により行われる。そして、携帯端末用パケット通信用ＰＤＮの切断完了の旨が通信システムから送信されると、切断処理が完了される（Ｓ１０９）。そして、携帯端末用ＮＷモード用ＰＤＮの接続状態が解除される。これは、３Ｇ網では、ＰＤＮの通信経路は一つしか設定することができないためである。
【００５４】
つぎに図５を用いて引き続き説明する。ＰＤＮ切断部１０５により、携帯端末用ＮＷモード用ＰＤＮの接続状態が切断されると、パケット通信処理部１０７によりユーザから指示があったインターネットパケット通信の開始要求が行われ、その通信経路が確立される（Ｓ１１０）。そしてこの時点から、インターネットパケット通信用ＰＤＮが設定される（符号Ｃ）。そして、インターネットパケット通信が行われ、ユーザ操作により通信切断の指示を受けると（Ｓ１１１）、パケット通信処理部１０７においてインターネットパケット通信の通信終了処理が行われる（Ｓ１１２）。この処理に応じてパケット通信用ＰＤＮの接続状態が解除される。
【００５５】
その後、ＰＤＮ接続部１０４により、デフォルトＰＤＮ記憶部１０１において記憶されているデフォルトＰＤＮである、携帯端末用ＮＷモード用ＰＤＮに対する接続要求がなされ、接続処理が行われる（Ｓ１１３、符号Ｄ）。そして、移動機１００が３Ｇ網からＬＴＥ網に移動すると、ハンドオーバ制御部１１２により、ＬＴＥ遷移指令を通信システムに送り、当該通信システムからＬＴＥ遷移完了を受けて、ハンドオーバ処理が行われる（Ｓ１１４、符号Ｘ１）。
【００５６】
上述のハンドオーバ処理によって、移動機１００は、ＬＴＥ網にいる状態で、ユーザ操作に従って、パケット通信処理部１０７により、インターネットパケット通信の要求処理が行われる（Ｓ１１６）。これに基づいて、パケット通信用ＰＤＮが接続状態となる（符号Ｅ）。その接続中に、ＬＴＥ網から３Ｇ網に移動すると、ハンドオーバ制御部１１２によりハンドオーバ処理が行われる（Ｓ１１７、符号Ｙ１）。そのとき、３Ｇ網では、ＰＤＮ接続では１つしかその通信経路を設定することができないため、デフォルトＰＤＮに設定されている携帯端末用ＮＷモード用ＰＤＮが、ＰＤＮ切断部１０５により切断される（Ｓ１１８、符号Ｄ）。
【００５７】
そして、インターネットパケット通信の通信終了の指示をユーザから受けると、パケット通信処理部１０７により通信終了の処理を行い（Ｓ１１９）、その通信終了の処理に応じて、携帯端末用ＮＷモード用ＰＤＮに対する接続処理が行われ（Ｓ１２０）、携帯端末用ＮＷモード用ＰＤＮに対する接続状態となる（符号Ｆ）。
【００５８】
このようにして、ＬＴＥ網から３Ｇ網に移動した場合に、携帯端末用ＮＷモード用ＰＤＮおよびパケット通信用ＰＤＮのそれぞれに接続している場合には、デフォルトで設定されている携帯端末用ＮＷモード用ＰＤＮの切断処理を行う。
【００５９】
つぎに、上述シーケンス図における変形例について説明する。図６は、変形例におけるシーケンス図であり、ＬＴＥ網に在圏しているときに、パケット通信モードＰＤＮに接続すると、携帯端末用ＮＷモードＰＤＮに対する接続状態を切断するときのシーケンス図である。
【００６０】
ＬＴＥ通信システムの接続環境下（符号Ｘ）の移動機１００において、電源が投入されると、アタッチ部１０８により位置登録処理が行われるとともに、ＰＤＮ接続部１０４において携帯端末用ＮＷモード用ＰＤＮに対する接続要求が行われる。そして、ＰＤＮ接続部１０４において、携帯端末用ＮＷモード用ＰＤＮに対する接続が完了した旨、通信システムから応答を受ける（Ｓ１０１）。この応答を受けた時点から、携帯端末用ＮＷモード用ＰＤＮに対する常時接続状態となる（符号Ａ１）。
【００６１】
ＰＤＮ接続部１０４による携帯端末用ＮＷモード用ＰＤＮの接続が完了すると、携帯端末用ＮＷ通信処理部１０３においてユーザ操作に応じて携帯端末用ＮＷ通信が行われ、その通信が終了する（Ｓ１０２）。この動作は、ユーザによる任意の動作であるため、このような動作が発生しない場合もある。
【００６２】
そして、パケット通信処理部１０７において、ユーザ操作により一般のインターネットに対するパケット通信の接続要求が行われる（Ｓ１０３）。この接続要求に応じて、インターネットに対するパケット通信の接続要求が通信システムに対して行われ、通信システムからその応答を受けることにより、インターネットのパケット通信の通信確立がなされる（Ｓ１０４）。この間、パケット通信用ＰＤＮが接続状態となる（符号Ｂ）。
【００６３】
そして、パケット通信用ＰＤＮと接続状態となると、すでにＰＤＮ接続状態となっている携帯端末用ＮＷモード用ＰＤＮの切断要求が、移動機１００から送信され、通信システムにおいては、その切断要求に対して、完了通知が移動機１００に送信される（Ｓ１０４ａ）。この処理により、携帯端末用ＮＷモード用ＰＤＮに対する接続状態が切断となる（符号Ａ１）。
【００６４】
その後、パケット通信処理部１０７による所定の通信が行われ、ユーザ操作によりパケット通信モードの切断要求がなされると（Ｓ１０５）、移動機１００のＰＤＮ接続部１０４から携帯端末用ＮＷモード用ＰＤＮ接続要求が通信システムに送信され、その接続完了をもって接続処理が行われる（Ｓ１０５ａ）。すなわち、携帯端末用ＮＷモード用ＰＤＮが接続状態となる（符号Ａ２）。そして、移動機１００のパケット通信処理１０７からパケット通信モード通信終了信号が送信され、そして、その完了信号を受けて、パケット通信モード用ＰＤＮが切断となる（Ｓ１０６）。これにより、パケット通信モード用ＰＤＮは切断状態となる。
【００６５】
以降、図４におけるＳ１０７、Ｓ１０８、Ｓ１０９の各処理が必要に応じて実行される。
【００６６】
このようにして、ＬＴＥ網に在圏しているとき、ＰＤＮ接続は２本張ることができるが、本変形例においては、パケット通信モード用ＰＤＮの接続要求を受けると、すでに接続状態となっている携帯端末用ＮＷモード用ＰＤＮの接続状態を切断することができ、ＰＤＮ接続状態を１つとすることで、ＬＴＥ網におけるＰＤＮ接続に対する負荷を軽減することができる。
【００６７】
つぎに、本実施形態の移動機１００の作用効果について説明する。本実施形態の移動機１００において、ＬＴＥ通信網または３Ｇ通信網のいずれかに在圏しているときには、デフォルトＰＤＮ記憶部１０１に記憶されているＰＤＮに対して、ＰＤＮ接続部１０４が接続する。そして、同時接続可能なＰＤＮの本数が、他の通信網より多く設定されている一の通信網であるＬＴＥ通信網において、携帯端末用ＮＷモード用ＰＤＮ（例えばｉモード用ＰＤＮ）に接続している場合、他のＰＤＮ（例えば、ｍｏｐｅｒａ：一般的なＩＳＰを利用したインターネット接続サービス））に対する新たな接続要求があると、ＰＤＮ接続部１０４は、当該他のＰＤＮに接続する。そして、そのようなＰＤＮの接続状態で、ＬＴＥ通信網から３Ｇ通信網に移動し、ハンドオーバ制御部１１によるハンドオーバがなされると、ＰＤＮ切断部１０５は、すでに接続されたデフォルトＰＤＮである携帯端末用ＮＷモード用ＰＤＮに対する接続状態を切断し、パケット通信処理部１０７は、他のＰＤＮであるパケット通信用ＰＤＮに対して接続状態を維持する。これにより、ＰＤＮの接続数が制限されている通信網にいた場合においても、他のＰＤＮに対する通信を継続して行うことができる。
【００６８】
また、本実施形態の移動機１００において、パケット通信処理部１０７によりパケット通信用ＰＤＮに対して接続がなされている間、拒否部１０６は、デフォルトＰＤＮである携帯端末用ＮＷモード用ＰＤＮに対する通信を拒否することで、ネットワークにおける負荷を軽減することができる。
【００６９】
また、本実施形態の移動機１００において、パケット通信処理部１０７によるパケット通信用ＰＤＮに接続がなされると、ＰＤＮ切断部１０４は、デフォルトＰＤＮである携帯端末用ＮＷモード用ＰＤＮに対する接続を切断する。その後、パケット通信処理部１０７がパケット通信用ＰＤＮに対する接続状態を切断すると、ＰＤＮ接続部１０４は、携帯端末用ＮＷモード用ＰＤＮに対して接続処理を行う。これにより、複数のＰＤＮのうちいずれか一方を必要に応じて切断し、また接続することができ、ネットワークにおける負荷を軽減することができる。
【００７０】
また、本実施形態の移動機１００においては、通信事業者のゲートウエイシステムの内外それぞれに配置されているサーバを利用したＰＤＮに適用し、さらに通信事業者のゲートウエイシステム内に配置されているサーバによるネットワーク接続サービスを提供可能なネットワーク（例えば、ｉモード用のＰＤＮ）をデフォルトＰＤＮとすることで、例えばＬＴＥ通信網のように位置登録処理とＰＤＮ接続とを同時に行うことが定められている通信網については、通信事業者のゲートウエイシステム内に構築されているサーバをＰＤＮ接続先に設定しておくことで、確実なＰＤＮ接続を行うことができ、よって、位置登録を確実に行わせることができる。
【００７１】
なお、その通信事業者における連携処理を有効に行うことも期待できる。すなわち、通信事業者においては、各種契約者の情報等を保持していることから、ＬＴＥ通信網のように常にＰＤＮ接続しているものに対して、通信事業者の通信回線内にあるサーバを利用したＰＤＮに接続することを優先したほうが、その情報を容易かつ迅速に利用することを可能にする。よって、通信サービスを提供する上において、よりユーザに適した通信サービスを提供することが期待できる。
【符号の説明】
【００７２】
１０…通信システム、１００…移動機、１０１…記憶部、１０２…通信処理部、１０３…通信処理部、１０４…ＰＤＮ接続部、１０５…ＰＤＮ切断部、１０６…拒否部、１０７…パケット通信処理部、１０８…アタッチ部、１０９…通信制御部、１１０…ＬＴＥ通信部、１１１…３Ｇ通信部、１１２…ハンドオーバ制御部、１１３…操作部、２０１…３Ｇ通信システム、２０２…ＬＴＥ通信システム、２０３…交換機、２０４ａ：ＰＤＮ、２０４ｂ：ＰＤＮ。
【図１】
0005581169.tif 000002
【図２】
0005581169.tif 000003
【図３】
0005581169.tif 000004
【図４】
0005581169.tif 000005
【図５】
0005581169.tif 000006
【図６】
0005581169.tif 000007